(57)【特許請求の範囲】
【請求項１】
共通電極と、マトリクス状に配置され、かつ、前記共通電極に対向して配置された複数の画素電極と、この複数の画素電極にそれぞれ接続された複数のアクティブ素子とを有し、前記共通電極と前記画素電極との信号のレベルの差に応じて画像を表示する表示手段と、
外部から供給されたブライト信号に基づいて前記共通電極に書き込む信号を制御して、前記表示手段のブライト調整を行うブライト調整手段と、
外部から供給された画像信号に対応するデジタル信号と前記ブライト信号に対応するデジタル信号に基づいてガンマ補正をして、補正画像信号を生成するガンマ補正手段と、
前記マトリクスのいずれかのラインに接続された前記複数のアクティブ素子を選択してオンする選択駆動手段と、
前記選択駆動手段により選択されてオンされた前記アクティブ素子に接続された前記画素電極に、前記ガンマ補正手段で生成された前記補正画像信号を前記アクティブ素子を介して書き込む信号駆動手段と、を備え、
前記ガンマ補正手段は、
ガンマ補正をするためのガンマ補正データが、前記ブライト信号及び前記画像信号に対応するアドレスに書き込まれた記憶手段と、
前記画像信号に対応するデジタル信号に前記ブライト信号に対応するデジタル信号を加算する加算手段と、
前記記憶手段の前記加算手段で加算されたデジタル信号の値に対応するアドレスに書き込まれているガンマ補正データを読み出す読出手段と、
この読出手段が読み出したガンマ補正データから前記ブライト信号に対応するデジタル信号を減算して、補正画像信号を生成する減算手段と、
を備えることを特徴とする表示装置。
【請求項２】
前記ガンマ補正手段は、ガンマ補正をするためのガンマ補正データが、前記ブライト信号及び前記画像信号に対応して書き込まれた記憶手段と、
前記ブライト信号及び前記画像信号に基づいて、前記記憶手段に書き込まれたガンマ補正データを読み出す読出手段と、
この読出手段で読み出したガンマ補正データから前記補正画像信号を生成する手段と、を備える、ことを特徴とする請求項１に記載の表示装置。
【請求項３】
前記ガンマ補正手段は、さらに、生成された前記補正画像信号の出力レベルを、前記ブライト信号に従って一定のレベルに制限する出力調整手段を備える、ことを特徴とする請求項１乃至２のいずれか１項に記載の表示装置。
【請求項４】
前記表示手段は、互いに対向する一対の基板間に液晶を封入した液晶パネルによって構成され、前記共通電極は、前記一対の基板の一方の対向面に形成され、前記画素電極及び前記アクティブ素子は、前記一対の基板の他方の対向面に形成されたものであり、さらに、前記ガンマ補正手段で補正された前記補正画像信号の極性を所定タイミング毎に反転する第１の極性反転手段と、前記ブライト調整手段でブライト調整がされた前記信号の極性を所定タイミング毎に反転する第２の極性反転手段を備え、前記信号駆動手段には、前記第１の極性反転手段によって所定タイミング毎に極性が反転された前記補正画像信号が供給され、前記共通電極には、前記第２の極性反転手段によって所定タイミング毎に極性が反転された前記信号が書き込まれる、ことを特徴とする請求項１乃至３のいずれか１項に記載の表示装置。
【発明の詳細な説明】
【０００１】
【発明の属する技術分野】
本発明は、表示装置及びガンマ補正方法に関し、特に、共通電極とこの共通電極に対向する画素電極とで画素を構成し、かつこの共通電極の電位を制御することによってブライト補正をする表示装置におけるガンマ補正に関するものである。
【０００２】
【従来の技術】
ＴＦＴ液晶表示装置において、ブライト調整とガンマ（γ）補正は、液晶パネルの電気光学特性曲線と視野角依存性を補償するために必要な技術である。
従来のＴＦＴ液晶表示装置におけるブライト調整は、ＴＦＴに印加する信号のダイナミックレンジが所定値（例えば、５Ｖ）以下に制限され、画素電極に書き込む画像信号の振幅調整では調整範囲を満足できないので、ブライト信号に連動して共通電極の電位を制御することにより行っていた。
【０００３】
このようにブライト調整を行った場合には、図７に示すように画像信号のγ特性もブライト調整の変動幅に応じてずれることとなるので、γ補正の電位ポイントを共通電極の電位に連動して移動させる必要がある。このγ補正のための回路には、ブライト信号に連動した基準電位が必要となる。
【０００４】
しかしながら、この基準電位を発生する基準電位発生回路は、構成が非常に複雑なものとなる。また、この基準電位発生回路を実装するためにはかなりのスペースを必要とする。さらには、ソースドライバへこの電位を供給するためのラインが必要となるため、このラインを実装するためにかなりのスペースが必要になるという問題もある。
【０００５】
一方、このスペース的な問題点を解決するために、γ補正の基準電位をブライト信号とは無関係に固定する方式も用いられている。
しかしながら、この方式ではγ特性のずれに対応することができず、適切なγ補正をすることができないという問題点がある。
【０００６】
【発明が解決しようとする課題】
本発明は、上記従来技術の問題点を解消するためになされたものであり、簡易な回路で適切なガンマ補正をすることができる表示装置を提供することを目的とする。
【０００７】
【課題を解決するための手段】
上記目的を達成するため、本発明の第１の観点にかかる表示装置は、共通電極と、マトリクス状に配置され、かつ、前記共通電極に対向して配置された複数の画素電極と、この複数の画素電極にそれぞれ接続された複数のアクティブ素子とを有し、前記共通電極と前記画素電極との信号のレベルの差に応じて画像を表示する表示手段と、外部から供給されたブライト信号に基づいて前記共通電極に書き込む信号を制御して、前記表示手段のブライト調整を行うブライト調整手段と、外部から供給された画像信号に対応するデジタル信号と前記ブライト信号に対応するデジタル信号に基づいてガンマ補正をして、補正画像信号を生成するガンマ補正手段と、前記マトリクスのいずれかのラインに接続された前記複数のアクティブ素子を選択してオンする選択駆動手段と、前記選択駆動手段により選択されてオンされた前記アクティブ素子に接続された前記画素電極に、前記ガンマ補正手段で生成された前記補正画像信号を前記アクティブ素子を介して書き込む信号駆動手段と、を備え、前記ガンマ補正手段は、ガンマ補正をするためのガンマ補正データが、前記ブライト信号及び前記画像信号に対応するアドレスに書き込まれた記憶手段と、前記画像信号に対応するデジタル信号に前記ブライト信号に対応するデジタル信号を加算する加算手段と、前記記憶手段の前記加算手段で加算されたデジタル信号の値に対応するアドレスに書き込まれているガンマ補正データを読み出す読出手段と、この読出手段が読み出したガンマ補正データから前記ブライト信号に対応するデジタル信号を減算して、補正画像信号を生成する減算手段と、を備えることを特徴とする。
【０００８】
上記表示装置によれば、ブライト調整に連動したガンマ補正をデジタル量で求めることができる。このため、アナログ量でガンマ補正をする場合に必要な基準電位発生回路などの複雑な回路を必要としない。このため、簡易な回路でブライト調整に連動した適切なガンマ補正をすることができる。なお、ここでいう加算及び減算には、正数のみならず、０及び負数の加算及び減算を含む。すなわち、通常のブライト調整の場合には、０を加算及び減算する。通常のブライト調整とずれた場合に、いずれの側にブライト調整するかによって正数と負数のいずれを加算及び減算するかが決まる。また、前記記憶手段のアドレスは、前記加算手段で加算されたデジタル信号の値に完全に一致した絶対アドレスによるものでも、所定の値を加算または減算した相対アドレスによるものでもよい。
【０００９】
上記表示装置において、
前記ガンマ補正手段は、
ガンマ補正をするためのガンマ補正データが、前記ブライト信号及び前記画像信号に対応して書き込まれた記憶手段と、
前記ブライト信号及び前記画像信号に基づいて、前記記憶手段に書き込まれたガンマ補正データを読み出す読出手段と、
この読出手段で読み出したガンマ補正データから前記補正画像信号を生成する手段と、
を備えるものとすることができる。
【００１２】
上記表示装置において、ガンマ補正が施された前記補正画像信号のレベルは、前記アクティブ素子のダイナミックレンジの範囲を超えることがあり得る。
このため、前記ガンマ補正手段は、さらに、
生成された前記補正画像信号の出力レベルを、前記ブライト信号に従って一定のレベルに制限する出力調整手段を備えるものとしてもよい。
【００１３】
本発明の表示装置は、ＴＦＴ液晶表示装置などのアクティブマトリクス方式の液晶表示装置に適用することを好適とする。この場合、
前記表示手段は、互いに対向する一対の基板間に液晶を封入した液晶パネルによって構成され、
前記共通電極は、前記一対の基板の一方の対向面に形成され、
前記画素電極及び前記アクティブ素子は、前記一対の基板の他方の対向面に形成されたものであり、
さらに、前記ガンマ補正手段で補正された前記補正画像信号の極性を所定タイミング毎に反転する第１の極性反転手段と、
前記ブライト調整手段でブライト調整がされた前記信号の極性を所定タイミング毎に反転する第２の極性反転手段を備え、
前記信号駆動手段には、前記第１の極性反転手段によって所定タイミング毎に極性が反転された前記補正画像信号が供給され、
前記共通電極には、前記第２の極性反転手段によって所定タイミング毎に極性が反転された前記信号が書き込まれる、
ものとなる。
【００１６】
【発明の実施の形態】
以下、添付図面を参照して、本発明の実施の形態について説明する。
【００１７】
［第１の実施の形態］
図１は、本発明の第１の実施の形態におけるＴＦＴ液晶表示装置の構成を示すブロック図である。
図示するように、このＴＦＴ液晶表示装置は、デジタルＲＧＢ発生部１、制御部２、ゲートドライバ３、デジタルソースドライバ４、Ｄ／Ａ変換器５、反転アンプ６、及びＴＦＴ液晶パネル７とから構成される。
【００１８】
デジタルＲＧＢ発生部１は、外部から供給された映像信号から、水平同期信号（Ｈ）及び垂直同期信号（Ｖ）、この水平同期信号（Ｈ）及び垂直同期信号（Ｖ）に同期したクロック信号（ＣＫ）を生成する。さらに、デジタルＲＧＢ発生部１は、このクロック信号（ＣＫ）に同期して赤（Ｒ）、緑（Ｇ）、青（Ｂ）の３色の色信号（ＲＧＢ信号）を映像信号から同一のタイミングでサンプリングする。これらの各信号は、制御部２へ送られる。
なお、Ｒ、Ｇ、Ｂの各色信号は、デジタルＲＧＢ発生部１から並列に出力される。
【００１９】
制御部２は、デジタルＲＧＢ発生部１から供給されたＲＧＢ信号、クロック信号（ＣＫ）、水平同期信号（Ｈ）及び垂直同期信号（Ｖ）、並びブライト信号から、反転ＲＧＢ信号、ゲートコントロール信号、ソースコントロール信号、Ｖｃｏｍレベル信号、及び反転信号（ＦＲＰ）を生成する。これらの各信号は、後述するように、このＴＦＴ液晶表示装置の回路各部へ供給される。
なお、制御部２の構成については、さらに後述する。
【００２０】
ゲートドライバ３は、制御部２から供給されたゲートコントロール信号に応答して、ＴＦＴ液晶パネル７のいずれかのゲートラインを選択駆動する。
デジタルソースドライバ４は、制御部２から供給されたソースコントロール信号に応答して、制御部２から供給された後述する反転ＲＧＢ信号を順にラッチする。なお、このデジタルソースドライバ４に供給される基準電位ＶＤＤは、一定であり、基準電位発生回路を必要としない。
【００２１】
Ｄ／Ａ変換器５は、制御部２によってブライト調整が与えられたデジタル量のＶｃｏｍレベル信号をＤ／Ａ変換（デジタル−アナログ変換）する。
反転アンプ６は、制御部２から供給された反転信号（ＦＲＰ）に従って、Ｄ／Ａ変換器５から出力されたアナログ量のＶｃｏｍレベル信号の極性を反転／非反転し、所定のレベルに増幅したＶｃｏｍ信号をＴＦＴ液晶パネル７の共通電極に出力する。
【００２２】
ＴＦＴ液晶パネル７は、図２（Ａ）に示すように、一対の透明基板７０、７１の間にシール材７３によって液晶７２が封入されたものである。透明基板７１の背面側には、バックライト（図示せず）が配置されている。
一方の透明基板７０の上には、反転アンプ６から出力された共通電位Ｖｃｏｍが書き込まれる共通電極７４が形成されている。
【００２３】
もう一方の透明基板７１の上には、画素電極７５がマトリクス状に形成されている。各々の画素電極７５には、ＴＦＴ７６のドレインが接続されている。また、ＴＦＴ７６のゲートはゲートライン３０に接続され、ＴＦＴ７６のソースはデータライン４０に接続されている。
また、透明基板７０には、ＲＧＢの各色に対応するカラーフィルタ（図示せず）が配されている。
【００２４】
デジタルソースドライバ４にラッチされた１ライン分の画像データは、ゲートドライバ３によって選択されたラインの画素電極７５に書き込まれる。すなわち、このＴＦＴ液晶パネル７では、図２（Ｂ）に示す共通電極７４及び画素電極７５とで構成される静電容量７Ｃに保持された電圧を制御することによって液晶７２の配向状態を変化させ、透過する光の光量を制御する。
【００２５】
ＴＦＴ液晶パネル７において、共通電極７４の上には配向膜７７が、画素電極７５及びＴＦＴ７６の上には配向膜７８がそれぞれ形成されている。また、透明基板７０、７１間の液晶７２にはスペーサ７９が挿入されており、透明基板７０、７１の間隔を一定に保っている。
なお、このＴＦＴ液晶パネル７は、透明基板７０、７１の一方または両方の外側に偏光板を備えていてもよい。
【００２６】
次に、制御部２の構成について詳しく説明する。
制御部２は、図３に示すように、コントローラ２１、レベル変換回路２２、ＲＧＢ抽出回路２Ａ、コントラスト処理回路２Ｂ、加算回路２Ｃ、γ補正データ読出回路２Ｄ、減算回路２Ｅ、リミッタ２Ｆ、反転回路２Ｇ、タイミング処理回路２Ｈ、及びＲＯＭ（Ｒｅａｄ  Ｏｎｌｙ  Ｍｅｍｏｒｙ）２Ｍとから構成される。
【００２７】
コントローラ２１は、デジタルＲＧＢ発生部１から供給された水平同期信号（Ｈ）及び垂直同期信号（Ｖ）、並びにクロック信号（ＣＫ）に基づいて、内部クロック信号を生成する。制御部２の各部の動作は、この内部クロック信号に同期して行われる。
【００２８】
コントローラ２１は、また、デジタルＲＧＢ発生部１から供給された水平同期信号（Ｈ）及び垂直同期信号（Ｖ）、並びにクロック信号（ＣＫ）に基づいて、１フレーム毎に反転／非反転が切り替えられる反転信号（ＦＲＰ）を生成する。この反転信号（ＦＲＰ）は、反転回路２Ｇ及び反転アンプ６へ供給される。
【００２９】
コントローラ２１は、さらに、デジタルＲＧＢ発生部１から供給された水平同期信号（Ｈ）及び垂直同期信号（Ｖ）、並びにクロック信号（ＣＫ）に基づいて、ゲートコントロール信号及びソースコントロール信号を生成する。
ゲートコントロール信号は、ゲートドライバ３に供給される。一方、ソースコントロール信号は、デジタルソースドライバ４に供給される。
【００３０】
レベル変換回路２２は、外部から供給されたブライト信号に基づいて、加算回路２Ｃ及び減算回路２Ｅに供給するシフト信号を生成する。また、リミッタ２Ｆに供給するリミッタレベル信号を生成する。
ここで生成されるシフト信号は、通常のブライト調整時には値０とし、いずれの側にどれだけブライト調整をするかによって、正または負の所定の値に定められる。また、リミッタレベル信号は、リミッタ２Ｆの出力信号が画素電極７４の電位を越えず、かつ、ＴＦＴに印加可能な信号のダイナミックレンジに含まれるように制御するための所定の値が選ばれる。
さらに、レベル変換回路２２は、外部から供給されたブライト信号に基づいて、ブライト調整を行ったＶｃｏｍレベル信号を生成する。このＶｃｏｍレベル信号は、Ｄ／Ａ変換器５に入力される。
【００３１】
ＲＧＢ抽出回路２Ａは、デジタルＲＧＢ発生部１から並列に供給されたＲＧＢ信号をラッチし、Ｒ、Ｇ、Ｂそれぞれの色信号を所定の順序で直列に出力する。コントラスト処理回路２Ｂは、コントラスト調整スイッチ（図示せず）などにより設定されたコントラスト信号に基づいて、Ｒ、Ｇ、Ｂそれぞれの色信号のコントラストを調整する。
【００３２】
加算回路２Ｃは、コントラスト処理回路２Ｂによってコントラスト調整がされたＲ、Ｇ、Ｂそれぞれの色信号に、レベル変換回路２２から供給されたシフト信号を加算する。
γ補正データ読出回路２Ｄは、加算回路２Ｃの出力信号で示されるＲＯＭ２Ｍのアドレスに格納されているγ（ガンマ）補正データを読み出して、減算回路２Ｅに出力する。
【００３３】
減算回路２Ｅは、γ補正データ読出回路２Ｄから供給されたγ補正データから、レベル変換回路２２から供給されたシフト信号を減算する。
リミッタ２Ｆは、レベル変換回路２２から供給されたリミッタレベル信号に基づいて、減算回路２Ｅから入力した信号の最大レベルを所定値以下に抑えて出力する。これは、ＴＦＴ７６に印加する信号のダイナミックレンジが所定値（例えば、５Ｖ）を越えることができないこと、及び画素電極７５に書き込む信号のレベルがＶｃｏｍ信号のレベルを越えてはいけないことによる。
【００３４】
反転回路２Ｇは、画素電極７５に書き込む信号の極性を１フレーム毎に反転させるため、コントローラ２１から出力された反転信号（ＦＲＰ）に応答して、リミッタ２Ｆの出力信号を反転／非反転させて出力する。
タイミング処理回路２Ｈは、反転回路２Ｇから出力されたＲ、Ｇ、Ｂのそれぞれの色信号を、ゲートコントロール信号及びソースコントロール信号とタイミング合わせするため所定タイミング遅延させて、反転ＲＧＢ信号として出力する。
【００３５】
ＲＯＭ２Ｍは、γ補正データ読出回路２Ｄによりγ補正をするためのγ補正データが予め書き込まれたものである。
このＲＯＭ２Ｍに書き込まれたγ補正データについて図４を参照して説明する。通常のブライト調整を行っているときのＲＧＢ信号（ブライト調整値との相対量）の入力ダイナミックレンジは、図４（Ａ）のグラフの▲１▼の範囲にある。この場合のγ補正データは、▲１▼’の範囲にある。
【００３６】
このＲＧＢ信号のレベル（ブライト調整値との相対量）に対応して、図４（Ｂ）に示すように、ＲＯＭ２Ｍのアドレス００００・・・０〜００１１・・・１が割り付けられている。そして、それぞれのアドレスにＲＧＢ信号のレベルに対応したγ補正データ▲１▼’が書き込まれている。
【００３７】
一方、レベル変換回路２２が所定のブライト調整を行うと、ＲＧＢ信号の範囲は、ブライト調整値との相対量では、図４（Ａ）のグラフの▲１▼の範囲よりも上位▲２▼または下位▲４▼にずれることがある。この場合のγ補正データは、それぞれ▲２▼’及び▲４▼’の範囲にある。
【００３８】
ＲＯＭ２Ｍには、図４（Ｂ）に示すように、この上位側のＲＧＢ信号に対応してアドレス０１００・・・０〜０１１１・・・１を割り付け、それぞれのアドレスにγ補正データ▲２▼’を書き込んでおく。また、下位側のＲＧＢ信号に対応してアドレス１１００・・・１〜０１１１・・・１を割り付け、それぞれのアドレスにγ補正データ▲４▼’を書き込んでおく。
【００３９】
以下、この実施の形態のＴＦＴ液晶表示装置における動作について説明する。この表示装置には、外部からデジタル量の映像信号とデジタル量のブライト信号とが供給される。この映像信号はデジタルＲＧＢ発生部１に、ブライト信号は、制御部２のレベル変換回路２２にそれぞれ供給される。
【００４０】
デジタルＲＧＢ発生部１は、映像信号に基づいて、クロック信号（ＣＫ）、水平同期信号（Ｈ）、垂直同期信号（Ｖ）、及びＲＧＢ信号を生成する。生成されたクロック信号（ＣＫ）、水平同期信号（Ｈ）及び垂直同期信号（Ｖ）は、コントローラ２１に供給される。また、ＲＧＢ信号はＲＧＢ抽出回路２Ａにそれぞれ供給される。
【００４１】
コントローラ２１においては、デジタルＲＧＢ発生部１から供給されたクロック信号（ＣＫ）、水平同期信号（Ｈ）及び垂直同期信号（Ｖ）に基づいて、内部クロック信号が生成される。この内部クロック信号は、制御部２の回路各部に供給され、回路各部を動作させる。
【００４２】
また、コントローラ２１においては、デジタルＲＧＢ発生部１から供給されたクロック信号（ＣＫ）、水平同期信号（Ｈ）及び垂直同期信号（Ｖ）に基づいて、反転信号（ＦＲＰ）、ゲートコントロール信号及びソースコントロール信号が生成される。反転信号（ＦＲＰ）は、反転回路２Ｇ及び反転アンプ６に供給される。ゲートコントロール信号は、ゲートドライバ３に供給される。ソースコントロール信号は、デジタルソースドライバ４に供給される。
【００４３】
レベル変換回路２２に供給されたブライト信号からは、Ｖｃｏｍレベル信号、シフト信号、及びリミッタレベル信号が生成される。Ｖｃｏｍレベル信号は、共通電極７４の電位を制御してブライト調整を行うための信号で、Ｄ／Ａ変換器５に供給される。シフト信号は加算回路２Ｃ及び減算回路２Ｅに、リミッタレベル信号はリミッタ２Ｆにそれぞれ供給される。
【００４４】
ＲＧＢ抽出回路２Ａに並列に供給されたＲ、Ｇ、Ｂそれぞれの色信号は、ＲＧＢ抽出回路２Ａから所定の順序で直列にコントラスト処理回路２Ｂに供給される。コントラスト処理回路２Ｂでは、外部から供給されたコントラスト信号に基づいて、ＲＧＢ信号のコントラスト調整をする。コントラスト処理回路２Ｂでコントラスト調整がされた画像信号は、加算回路２Ｃに供給される。
【００４５】
そして、この加算回路２Ｃからリミッタ２Ｆまでにおいて、γ補正処理を行う。以下、図５（Ａ）のグラフ及び図５（Ｂ）のアドレスマップを参照して説明する。
【００４６】
コントラスト処理回路２Ｂから加算回路２Ｃに供給された画像信号のダイナミックレンジは、図５（Ａ）の▲１▼に示す範囲であり、画像信号はこの範囲のいずれかの値Ｗをとる。この画像信号Ｗは、図５（Ｂ）の▲１▼に示す範囲のＲＯＭ２Ｍのアドレス００００００００〜００１１１１１１のいずれかに対応している。
【００４７】
次に、加算回路２Ｃでは、図５（Ａ）及び（Ｂ）の▲２▼に示すように、この画像信号Ｗに、レベル変換回路２２から供給されたブライト信号に対応したシフト信号ａを加算する。そして、図５（Ａ）及び（Ｂ）の▲３▼に示すように、γ補正データ読出回路２Ｄは、ＲＯＭ２Ｍのこの加算した値Ｗ＋ａのアドレスからγ補正データＸを読み出す。
【００４８】
ここで、画像信号Ｗとシフト信号ａとを加算した値Ｗ＋ａが通常のブライト補正時の入力ダイナミックレンジより上になる場合にはＲＯＭ２Ｍのアドレス０１００００００〜０１１１１１１１の範囲からデータＸを読み出す。下になる場合（このとき、シフト信号ａは負数）にはＲＯＭ２Ｍのアドレス１１００００００〜１１１１１１１１の範囲からγ補正データＸを読み出すこととなる。
【００４９】
このγ補正データ読出回路２Ｄにより読み出されたγ補正データＸには、実際には、ブライト調整分のシフト信号ａが加算されている。そこで、図５（Ａ）及び（Ｂ）の▲４▼に示すように、減算回路２Ｅは、γ補正データＸからシフト信号ａを減算し、この減算した値Ｙを補正画像信号として出力する。
【００５０】
なお、シフト信号ａの値は、通常のブライト調整時には０としており、白側または黒側のいずれにブライト調整をするかによって、正または負の所定の値に定められる。
【００５１】
以上のようにして、ブライト信号に連動してγ補正を施した補正画像信号Ｙが生成されるが、この値はＴＦＴ７６に印加可能な信号のダイナミックレンジを越えている可能性がある。そこで、図５（Ａ）及び（Ｂ）の▲５▼に示すように、補正画像信号Ｙをリミッタ２Ｆに通して、所定レベル以下に制限した補正画像信号Ｚを得る。
【００５２】
この補正画像信号Ｚは、反転回路２Ｇに供給される。反転回路２Ｇは、反転信号（ＦＲＰ）に基づいて、補正画像信号Ｚを反転／非反転させて信号に極性を与える。
そして、この極性を与えられた補正画像信号は、タイミング処理回路２Ｈで所定のタイミング合わせを行った後、反転ＲＧＢ信号として順次デジタルソースドライバ４に供給される。
【００５３】
デジタルソースドライバ４では、コントローラ２１から供給されたソースコントロール信号に従って、タイミング処理回路２Ｈから出力された反転ＲＧＢ信号を順にラッチしていく。そして、１ライン分の信号がラッチされたときに出力されるソースコントロール信号（書き込み信号）により、ゲートドライバ３で選択されたゲートライン３０に接続された画素電極７５に、ラッチした信号をＴＦＴ７６を介して書き込んでいく。
【００５４】
また、レベル変換回路２２から出力されたＶｃｏｍレベル信号は、Ｄ／Ａ変換器５でアナログ量に変換され、反転アンプ６において反転信号（ＦＲＰ）に従った極性がつけられて、かつ、所定のレベルに増幅される。反転アンプ６から出力したＶｃｏｍ信号は、その電位によりブライト調整がされて、ＴＦＴ液晶パネル７の共通電極７４に書き込まれる。
このように、ブライト調整に連動したガンマ補正が実現されている。
【００５５】
以上説明したように、この実施の形態のＴＦＴ液晶表示装置では、デジタル量のＲＧＢ信号にブライト調整に対応した値を加算回路２Ｃで加算し、ＲＯＭ２Ｍの加算した値のアドレスからγ補正データを読み出していた。そして、減算回路２Ｅで、読み出したγ補正データから加算回路２Ｃで加算した値を減算していた。このため、この実施の形態のＴＦＴ液晶表示装置では、ブライト調整に連動したガンマ補正を非常に簡単な回路で実現することができる。
【００５６】
これにより、この実施の形態のＴＦＴ液晶表示装置では、複雑な基準電位発生回路を必要としない。また、基準電位をソースドライバに供給するためのラインも不要となる。
従って、ソースドライバや表示パネルを小型化することができる。また、製造／調整工程の簡略化も可能となる。これにより、装置全体でのコストダウンを計ることができる。
【００５７】
［第２の実施の形態］
上記の第１の実施の形態では、デジタルＲＧＢ入力のソースドライバを使用したＴＦＴ液晶表示装置に本発明を適用した場合について説明した。しかし、本発明は、アナログＲＧＢ入力の低電圧アナログソースドライバを用いたＴＦＴ液晶表示装置にも適用することができる。
【００５８】
図６は、本発明の第２の実施の形態におけるＴＦＴ液晶表示装置の構成を示すブロック図である。
この図において、図１のＴＦＴ液晶表示装置と同じ構成の部分には、同じ符号を付している。
【００５９】
このＴＦＴ液晶表示装置は、アナログ量のＲＧＢ信号をＡ／Ｄ変換（アナログ−デジタル変換）するＡ／Ｄ変換器８１と、アナログ量のブライト信号をＡ／Ｄ変換するＡ／Ｄ変換器８２と、制御部２から供給されたデジタル量の反転ＲＧＢ信号をＤ／Ａ変換するＤ／Ａ変換器８３とを備えている。また、第１の実施の形態のデジタルソースドライバ４の代わりにアナログソースドライバ８４を、第１の実施の形態の反転アンプ６の代わりに反転アンプ８５を備えている。
【００６０】
以下、この実施の形態のＴＦＴ液晶表示装置における動作について説明する。外部から供給されたアナログ量のアナログＲＧＢ信号及びブライト信号は、それぞれＡ／Ｄ変換器８１、８２でデジタル量に変換される。デジタル量に変換されたＲＧＢ信号及びブライト信号は、制御部２に入力される。
【００６１】
制御部２の動作は、レベル変換回路２２からＶｃｏｍレベル信号が出力されないことを除いては、第１の実施の形態と同じである。すなわち、制御部２は、ＲＧＢ信号に対してγ補正や極性反転などの所定の処理を加え、また、各制御信号を生成して出力する。
【００６２】
制御部２から出力されたゲートコントロール信号はゲートドライバ３に供給され、ゲートドライバ３は、第１の実施の形態と同様にいずれかのゲートラインを選択駆動する。
また、ソースコントロール信号がアナログソースドライバ８４に供給される。
【００６３】
制御部２から出力された反転ＲＧＢ信号は、Ｄ／Ａ変換器８３によりアナログ量に変換されて、反転アナログＲＧＢ信号としてアナログソースドライバ８４に供給される。アナログソースドライバ８４は、ソースコントロール信号に従って反転アナログＲＧＢ信号を順にラッチしていく。アナログソースドライバ８４に１ライン分の反転アナログ信号がラッチされると、ゲートドライバ３で選択されたラインの画素電極７５にそれぞれの信号が書き込まれる。
【００６４】
一方、反転アンプ８５に供給されたブライト信号は、制御部２から出力された反転信号（ＦＲＰ）に従って１フレーム毎に極性が反転されて、ＴＦＴ液晶パネル７の共通電極７４に書き込まれる。以上のようにして、この実施の形態のＴＦＴ液晶表示装置においても、第１の実施の形態のＴＦＴ液晶表示装置と同様にブライト補正に連動したγ補正を施した画像を表示することができる。
【００６５】
［実施の形態の変形］
上記の実施の形態では、ＲＯＭ２Ｍのアドレス００００・・・０〜００１１・・・１に通常のブライト補正時のデータを書き込み、アドレス０１００・・・〜０１１１・・・１に上位側、１１００・・・０〜１１１１・・・１に下位側のデータを書き込んでいた。しかしながら、本発明はこれに限られない。例えば、シフト信号分を加算したＲＧＢ信号（ＲＧＢ信号とブライト信号の相対値）がそのままＲＯＭ２Ｍのアドレスとなるようにγ補正データを書き込んでおいてもよい。また、この相対値に所定の値（負数を含む）を加算したアドレス（相対アドレス）にγ補正データを書き込んでおいてもよい。
【００６６】
上記の実施の形態では、加算回路２Ｃは、ＲＧＢの画像信号にブライト調整分のデータ量を加算し、γ補正データ読出回路２ＤはＲＯＭ２Ｍに書き込まれたγ補正データをテーブルルックアップ方式で読み出してきた。そして、減算回路２Ｅは読み出したγ補正データからブライト調整分のデータ量を減算していた。しかしながら、本発明はこれに限られない。例えば、上記方式の代わりに、所定の処理プログラムに基づいて、ＲＧＢの画像信号及びブライト調整分のデータ量に従ってγ補正データを計算するプロセッサを用いる方式を採用することもできる。
【００６７】
上記の実施の形態では、デジタル量のＲＧＢ信号に対するγ補正をハードウェアで行っていた。しかしながら、汎用プロセッサ及びこのプロセッサを動作させるためのソフトウェアによって、本発明のガンマ補正の処理の全部または一部を行ってもよい。
【００６８】
上記の実施の形態では、Ｒ、Ｇ、Ｂの３色の色信号を使用してフルカラー表示をするＴＦＴ液晶表示装置について説明した。しかしながら、本発明は、モノクローム画像を表示するＴＦＴ液晶表示装置についても適用できる。また、複数色のモノクローム画像を合成してフルカラー画像を表示する多板式液晶プロジェクタのような表示装置にも適用できる。
【００６９】
上記の実施の形態では、本発明をＴＦＴ液晶表示装置に適用した場合について説明した。しかしながら、本発明はこれに限られない。例えば、ダイオードやＭＩＭ（Ｍｅｔａｌ  Ｉｎｓｕｌａｔｏｒ  Ｍｅｔａｌ）等のアクティブ素子を用いた他のアクティブマトリクス型の液晶表示装置にも適用できる。
【００７０】
さらには、本発明は、例えば有機ＥＬ表示装置など、共通電極の電位を制御することでブライト補正を行う全ての表示装置に適用することができる。
なお、有機ＥＬ素子は極性を持たないため、本発明を有機ＥＬ表示装置に適用した場合は、反転アンプ及び制御部中の反転回路は必要ない。また、有機ＥＬ表示装置でフルカラー表示を行う場合、有機ＥＬ素子の電気光学特性は、色毎に異なるため、γ補正データを書き込んだＲＯＭを色毎に用意しておけばよい。
【００７１】
【発明の効果】
以上説明したように、本発明によれば、簡易な回路で適切なガンマ補正をすることができる。
【図面の簡単な説明】
【図１】本発明の第１の実施の形態におけるＴＦＴ液晶表示装置の構成を示すブロック図である。
【図２】図１のＴＦＴ液晶パネルの構成を示す図であり、（Ａ）は断面図、（Ｂ）は模式図である。
【図３】図１のＴＦＴ液晶表示装置における制御部の構成を示すブロック図である。
【図４】図２のＲＯＭに書き込まれるガンマ補正データの一例を示す図であり、（Ａ）はグラフ、（Ｂ）はアドレスマップである。
【図５】本発明の第１の実施の形態におけるガンマ補正方法の説明図である。
【図６】本発明の第２の実施の形態におけるＴＦＴ液晶表示装置の構成を示すブロック図である。
【図７】従来のＴＦＴ液晶表示装置におけるブライト調整とガンマ電位の変動との関係を示す図である。
【符号の説明】
１・・・デジタルＲＧＢ発生部、２・・・制御部、３・・・ゲートドライバ、４・・・デジタルソースドライバ、５・・・Ｄ／Ａ変換器、６・・・反転アンプ、７・・・ＴＦＴ液晶パネル、
２１・・・コントローラ、２２・・・レベル変換回路、２Ａ・・・ＲＧＢ抽出回路、２Ｂ・・・コントラスト処理回路、２Ｃ・・・加算回路、２Ｄ・・・γ補正データ読出回路、２Ｅ・・・減算回路、２Ｆ・・・リミッタ、２Ｇ・・・反転回路、２Ｈ・・・タイミング処理回路、２Ｍ・・・ＲＯＭ（Ｒｅａｄ  Ｏｎｌｙ  Ｍｅｍｏｒｙ）、
７０、７１・・・透明基板、７２・・・液晶、７４・・・共通電極、７５・・・画素電極、７６・・・薄膜トランジスタ（ＴＦＴ）、
３０・・・ゲートライン、４０・・・ソースライン、
８１、８２・・・Ａ／Ｄ変換器、８３・・・Ｄ／Ａ変換器、８４・・・アナログソースドライバ、８５・・・反転アンプ
【図１】
0003612912.tif 000002
【図２】
0003612912.tif 000003
【図３】
0003612912.tif 000004
【図４】
0003612912.tif 000005
【図５】
0003612912.tif 000006
【図６】
0003612912.tif 000007
【図７】
0003612912.tif 000008